(57)【要約】【課題】  ライナ後端部が管の縮径部を通過してライナが挿入される場合であっても、ライナが捩れることなくプロペラシャフトに適正に装着されるライナ挿入具及びライナ挿入装置並びにライナ挿入方法を提供する。【解決手段】  複数個の爪部１２が挿入部９の先端に当該挿入部９の円周方向に沿って等配されて、各爪部１２の先端部が圧縮コイルばね２３によって挿入部９の半径方向へ向けて付勢される。これにより、各爪部１２の先端部がプロペラシャフトチューブ２の内径に応じて当該プロペラシャフトチューブ２の半径方向へ押し拡げられる。したがって、ライナ後端部がプロペラシャフトチューブ２の縮径部１９で拡径されても、ライナ後端部が各爪部１２によってライナ規定位置まで押し込まれて、ライナ３が捩れることなくプロペラシャフト２に適正に装着される。【選択図】  図３
2005337443.tif 000002
【特許請求の範囲】
【請求項１】
中空円筒状の挿入部を備えて、該挿入部によって、円筒状に積層されたライナがプロペラシャフトチューブの内部に挿入されるライナ挿入具であって、前記挿入部の先端に、該挿入部の軸線方向へ延びる略板形状に形成される爪部と、該爪部の先端部が前記挿入部の外径方向へ押し拡げるように弾性的に押圧される押圧部とを備え、複数個の前記爪部が前記挿入部の円周上に等配されることを特徴とするライナ挿入具。
【請求項２】
前記爪部の先端部が、該爪部の先端部と後端部との間に設けられるヒンジ部を支点に、前記挿入部の外径方向へ押し拡げられることを特徴とする請求項１に記載のライナ挿入具。
【請求項３】
中空円筒状の挿入部と、該挿入部の先端に設けられて、該挿入部の軸線方向へ延びる略板形状を有する複数個の爪部と、該爪部の先端部が前記挿入部の外径方向へ押し拡げるように弾性的に押圧される押圧部とを備えて、複数個の前記爪部が前記挿入部の円周上に等配されるライナ挿入具と、前記挿入部の内側に嵌入可能であって、該挿入部よりも少なくとも前記ライナの軸線方向長さ以上の長さを有する円筒状の巻取部とを備えて、該巻取部に前記ライナが巻取り可能なライナ巻取り具と、前記挿入部が嵌入されると共に、前記ライナが挿入されるプロペラシャフトチューブの入口内径に等しい内径を有する中空円筒状の案内チューブと、を具備することを特徴とするライナ挿入装置。
【請求項４】
中空円筒状の挿入部と、該挿入部の先端に設けられて、該挿入部の軸線方向へ延びる略板形状を有する複数個の爪部と、該爪部の先端部が前記挿入部の外径方向へ押し拡げるように弾性的に押圧される押圧部とを備えて、複数個の前記爪部が前記挿入部の円周上に等配されるライナ挿入具と、前記挿入部の内側に嵌入可能であって、該挿入部よりも少なくともライナの軸線方向長さ以上の長さを有する円筒状の巻取部とを備えて、該巻取部に前記ライナが巻取り可能なライナ巻取り具と、前記挿入部が嵌入されると共に、前記ライナが挿入されるプロペラシャフトチューブの入口内径に等しい内径を有する中空円筒状の案内チューブと、が用いられて、前記プロペラシャフトチューブの内部に前記ライナが挿入されるライナ挿入方法であって、前記ライナ巻取り具が前記ライナ挿入具の内側に嵌入されるステップと、前記ライナ巻取り具が嵌入された前記ライナ挿入具が前記案内チューブの内部に挿入されるステップと、前記案内チューブが前記プロペラシャフトチューブの入口内径に整合されて設置されるステップと、前記ライナ巻取り具によって前記ライナが前記巻取部に巻き取られるステップと、前記挿入部が前記案内チューブに沿って押し出されて、前記巻取部に巻き取られた前記ライナが前記プロペラシャフトチューブの内部に挿入されるステップと、を含んで構成されることを特徴とするライナ挿入方法。
【発明の詳細な説明】
【技術分野】
【０００１】
本発明は、ライナ挿入具及びライナ挿入装置並びにライナ挿入方法に関し、特に、中空円筒状の胴部と、該胴部の両端から軸線方向外側へ向けて縮径される絞り部とを備えるプロペラシャフトチューブの内部に、円筒状に構成されたライナを挿入させるためのライナ挿入具及びライナ挿入装置並びにライナ挿入方法に関する。
【背景技術】
【０００２】
一般に、プロペラシャフトのチューブ（以下、プロペラシャフトチューブと称す。）には、ＮＶＨ（Noise，Vibration，Harshiness）対策として、円筒状に巻かれたライナが内周面に装着される（例えば、特許文献１参照。）。このようなプロペラシャフトでは、上記ライナによって、膜振動や共鳴振動が抑制される。該ライナは、例えば、図８に示されるライナ挿入装置１によって、プロペラシャフトチューブ２の一方の開口１５からプロペラシャフトチューブ２の中空部に挿入されて当該プロペラシャフトチューブ２の内周面に装着される。このようなライナ挿入装置１では、まず、略円筒状に巻かれた状態のライナ３が案内チューブ４に収容される。そして、該案内チューブ４が、位置決め治具によってプロペラシャフトチューブ２に対して同一軸線上に位置決めされる。なお、この状態では、案内チューブ４の内周面が、プロペラシャフトチューブ２の開口１５の内周面に対して略面一になる。
【０００３】
次に、上記ライナ挿入装置１では、挿入部９が略円筒状に形成されて該挿入部９の外周面が上記案内チューブ４の内周面に摺動可能に嵌合されるライナ挿入具６が、該案内チューブ４に対してライナ挿入方向（図８における紙面視左方向）へ移動される。これにより、ライナ挿入具６の挿入部９の先端部９ａ（図８における紙面視左側の端部）によって案内チューブ４に収容されたライナ３の後端部（ライナの図８における紙面視右側の端部）が押圧されて、当該ライナ３が案内チューブ４に案内されつつ、プロペラシャフトチューブ２に挿入される。しかしながら、プロペラシャフトチューブ２には、図８に示されるように、当該プロペラシャフトチューブ２の開口１５が開口される管１０（以下、絞り部１０と称す。）の内径に対してライナ３が装着される管７（以下、胴部７と称す。）の内径が大きい寸法のものがある。このようなプロペラシャフトチューブ２では、上記ライナ挿入装置１によってライナ３が挿入される場合に、ライナ後端部がプロペラシャフトチューブ２の絞り部１０から胴部７へ移行される部分１９（以下、縮径部１９と称す。）に到達された時点で、当該ライナ３（ライナ後端部）が材料（紙）の弾性力によって拡径される。
【０００４】
そして、上記ライナ挿入装置１では、巻かれたライナ３の外側の層がプロペラシャフトチューブ２の胴部７の内周面に当接された後も、当該ライナ３の内側の層の後端部がライナ挿入具６の挿入部９によって押圧されるため、図７に示されるように、ライナ３が捩れた状態でプロペラシャフトチューブ２に装着されて、ライナ３の性能が発揮されずにプロペラシャフトから膜振動や共鳴振動が発生される虞がある。
【特許文献１】実開平６−８５９２５号公報（段落番号０００８〜００１２、図２）
【発明の開示】
【発明が解決しようとする課題】
【０００５】
そこで本発明は、上記事情に鑑みてなされたもので、第１の目的は、ライナ後端部が管の縮径部を通過してライナが挿入される場合であっても、ライナが捩れることなくプロペラシャフトに適正に装着されるライナ挿入具を提供することにある。
また、第２の目的は、ライナ後端部が管の縮径部を通過してライナが挿入される場合であっても、ライナが捩れることなくプロペラシャフトに適正に装着されるライナ挿入装置を提供することにある。
また、第３の目的は、ライナ後端部が管の縮径部を通過してライナが挿入される場合であっても、ライナが捩れることなくプロペラシャフトに適正に装着されるライナ挿入方法を提供することにある。
【課題を解決するための手段】
【０００６】
上記第１の目的を達成するために、本発明のうち請求項１に記載の発明は、中空円筒状の挿入部を備えて、該挿入部によって、円筒状に積層されたライナがプロペラシャフトチューブの内部に挿入されるライナ挿入具であって、挿入部の先端に、該挿入部の軸線方向へ延びる略板形状に形成される爪部と、該爪部の先端部が挿入部の外径方向へ押し拡げるように弾性的に押圧される押圧部とを備え、複数個の爪部が挿入部の円周上に等配されることを特徴とする。
請求項２に記載の発明は、請求項１に記載の発明において、爪部の先端部が、該爪部の先端部と後端部との間に設けられるヒンジ部を支点に、挿入部の外径方向へ押し拡げられることを特徴とする。
【０００７】
上記第２の目的を達成するために、本発明のうち請求項３に記載のライナ挿入装置に係る発明は、中空円筒状の挿入部と、該挿入部の先端に設けられて、該挿入部の軸線方向へ延びる略板形状を有する複数個の爪部と、該爪部の先端部が挿入部の外径方向へ押し拡げるように弾性的に押圧される押圧部とを備えて、複数個の爪部が挿入部の円周上に等配されるライナ挿入具と、挿入部の内側に嵌入可能であって、該挿入部よりも少なくともライナの軸線方向長さ以上の長さを有する円筒状の巻取部とを備えて、該巻取部にライナが巻取り可能なライナ巻取り具と、挿入部が嵌入されると共に、ライナが挿入されるプロペラシャフトチューブの入口内径に等しい内径を有する中空円筒状の案内チューブと、を具備することを特徴とする。
【０００８】
上記第３の目的を達成するために、本発明のうち請求項４に記載の発明は、中空円筒状の挿入部と、該挿入部の先端に設けられて、該挿入部の軸線方向へ延びる略板形状を有する複数個の爪部と、該爪部の先端部が挿入部の外径方向へ押し拡げるように弾性的に押圧される押圧部とを備えて、複数個の爪部が挿入部の円周上に等配されるライナ挿入具と、挿入部の内側に嵌入可能であって、該挿入部よりも少なくともライナの軸線方向長さ以上の長さを有する円筒状の巻取部とを備えて、該巻取部にライナが巻取り可能なライナ巻取り具と、挿入部が嵌入されると共に、ライナが挿入されるプロペラシャフトチューブの入口内径に等しい内径を有する中空円筒状の案内チューブと、が用いられて、プロペラシャフトチューブの内部にライナが挿入されるライナ挿入方法であって、ライナ巻取り具がライナ挿入具の内側に嵌入されるステップと、ライナ巻取り具が嵌入されたライナ挿入具が案内チューブの内部に挿入されるステップと、案内チューブがプロペラシャフトチューブの入口内径に整合されて設置されるステップと、ライナ巻取り具によってライナが巻取部に巻き取られるステップと、挿入部が案内チューブに沿って押し出されて、巻取部に巻き取られたライナがプロペラシャフトチューブの内部に挿入されるステップと、を含んで構成されることを特徴とする。
【０００９】
従って、請求項１に記載の発明では、各爪部がプロペラシャフトチューブの内周面に弾性的に押圧される。これにより、円筒状に巻かれたライナがプロペラシャフトチューブの内部に挿入されるに際して、プロペラシャフトチューブにおけるライナ挿入経路の内径が該ライナ挿入経路の途中で拡径されてライナ後端部が拡径されたとしても、各爪部がライナ挿入経路の内径（ライナ後端部）が拡径されるのに応じて当該ライナ挿入経路に沿って拡径される。
請求項２に記載の発明では、各爪部が各ヒンジ部を支点に回動されて、各爪部の先端がプロペラシャフトチューブの内周面に押し付けられる。
【００１０】
請求項３に記載の発明では、ライナ巻取り具の巻取部にライナが巻き取られて、該巻き取られたライナが、案内チューブに案内されつつライナ挿入具の挿入部によってプロペラシャフトチューブに挿入される。そして、プロペラシャフトチューブにおけるライナ挿入経路の内径が該ライナ挿入経路の途中で拡径されてライナ後端部が拡径されたとしても、各爪部がライナ挿入経路の内径（ライナ後端部）が拡径されるのに応じて当該ライナ挿入経路に沿って拡径されるため、挿入部の円周上に等配された各爪部によって、ライナ後端部が規定位置まで確実に押し込まれる。
請求項４に記載の発明では、各ステップを適宜組み合わせて実行することにより、ライナ挿入経路の内径が該ライナ挿入経路の途中で拡径されるプロペラシャフトチューブであっても、該プロペラシャフトチューブの内部にライナが適正に挿入される。
【発明の効果】
【００１１】
ライナ後端部が管の縮径部を通過してライナが挿入される場合であっても、ライナが捩れることなくプロペラシャフトに適正に装着されるライナ挿入具及びライナ挿入装置並びにライナ挿入方法を提供することができる。
【発明を実施するための最良の形態】
【００１２】
本発明の一実施の形態を図１〜図６に基づいて説明する。なお、上述した従来のライナ挿入装置１（図８参照）と同一又は相当の構成には、同じ名称及び符号を付与する。図１に示されるように、本ライナ挿入装置１は、プロペラシャフトチューブ２の一端から略円筒状に巻かれたライナ３が挿入されるものであって、案内チューブ４と、ライナ巻取り具５と、ライナ挿入具６と、に大別されて構成される。なお、本ライナ挿入装置１の対象になるプロペラシャフトチューブ２は、内周面７ａに上記ライナ３が装着される胴部７を有し、該胴部７の軸線方向（図１における紙面視左右方向）両端には、各縮径部１９，２０を介して各絞り部１０，１１が設けられる。上記案内チューブ４は、略円筒状に形成されており、図４に示されるように、軸線方向（図４における紙面視方向）へ延びてシート状のライナ３の一辺が当該案内チューブ４の外部空間から内部空間へ向けて差し入れられるライナ差入口１３が設けられる。なお、上記案内チューブ４は、内径寸法が上記プロペラシャフトチューブ２の当該案内チューブ４に接続される側の絞り部１０の内径寸法と略等しい寸法に設定される。
【００１３】
図１に示されるように、上記ライナ巻取り具５は、上記案内チューブ４に対して同一軸線上に配置されて、一側（図１における左側の部分）の巻取部８が案内チューブ４に内挿される。また、図４に示されるように、ライナ巻取り具５は、上記巻取部８に、上記案内チューブ４のライナ差入口１３に臨むように整合させたスリット１７が設けられており、図５に示されるように、該スリット１７に、案内チューブ４のライナ差入口１３から差し入れられるライナ３の一辺が差し込まれる。そして、本ライナ挿入装置１では、上記スリット１７にライナ３の一辺が差し込まれた状態で、ライナ巻取り具５の他端に設けられるハンドル１８が操作（軸線回りの所定方向へ回転）されることにより、図６に示されるように、ライナ３がライナ巻取り具５の巻取部８に巻き付けられて数重巻き（本実施の形態では３重巻き）に巻かれた状態で案内チューブ４内に収容される構造になっている。また、図１に示されるように、上記ライナ挿入具６は、略円筒状に形成されて、上記案内チューブ４の内周面に摺動可能に内挿されると共に上記ライナ巻取り具５に間隙を有して外挿される。
【００１４】
図１及び図２に示されるように、上記ライナ挿入具６は、挿入部９に、一側が該挿入部９の先端面９ａ（挿入部９の図１及び図２における紙面視左側の端面）に開口されて、軸線方向へ延びる所定長さ（軸線方向の寸法）及び間隔（図１及び図２における紙面視方向の寸法）の間隙１６が設けられる。該間隙１６は、挿入部９の先端に、当該挿入部９の円周方向に沿って複数個（本実施の形態では３個）の上記間隙１６が等配されて設けられる。そして、挿入部９の各間隙１６には、略板形状の爪部１２がそれぞれ設けられる。図２に示されるように、各爪部１２は、略く字状に形成されて、両端が各間隙１６の対向する一対の面によって支持される各軸２１（支点）の回りに回動可能に支持される。また、各爪部１２の外側面には、各軸２１よりも後方（図１〜図３における紙面視右方）の位置に、凹状に形成されたばね受け部２２が設けられており、各爪部１２のばね受け部２２と上記案内チューブ４との間には、一端がばね受け部２２に保持されて他端が案内チューブ４の内周面に摺接される圧縮コイルばね２３（押圧部）が設けられる。
【００１５】
これにより、本ライナ挿入装置１では、各爪部１２が各圧縮コイルばね２３のばね力によって、各軸２１の回りに、先端部（各爪部１２の図１及び図２における紙面視左側の端部）が挿入部９の半径方向（案内チューブ４又はプロペラシャフトチューブ２の内周面）へ向けて付勢される。なお、本ライナ挿入装置１では、挿入部９が案内チューブ４に対して図１における紙面視左方向へ移動される過程で、図３に示されるように、各圧縮コイルばね２３の他端が、案内チューブ４の内周面からプロペラシャフトチューブ２の絞り部１０の内周面へ乗り継ぐように構成される。そして、図２に示されるように、本ライナ挿入装置１では、上記ライナ挿入具６が案内チューブ４及びライナ巻取り具５に対して、図１における紙面視左側へ移動されることにより、ライナ巻取り具５の巻取部８によって巻かれて案内チューブ４に収容されたライナ３のライナ後端部がライナ挿入具６の挿入部９の先端面９ａ（図１における左側端面）によって押圧されて、当該ライナ３が案内チューブ４の内周面によって案内されつつ、当該案内チューブ４に接続されたプロペラシャフトチューブ２へ向けて押し出される。
【００１６】
そして、図３に示されるように、ライナ後端部がプロペラシャフトチューブ２の縮径部１９を通過するに際して、当該ライナ後端部が材料（紙）の弾性力によって拡径されるが、本ライナ挿入装置１では、各爪部１２の先端を通る円がプロペラシャフトチューブ２の縮径部１９の内周面に沿って拡径されるため、ライナ後端部の外側の層であっても各爪部１２によって当該ライナ後端部の規定位置まで押し込まれる構造になっている。
【００１７】
次に、本ライナ挿入装置１の作用を説明する。本ライナ挿入装置１を用いて図１に示されるプロペラシャフトチューブ２にライナ３を挿入させる場合には、まず、ライナ巻取り具５の巻取部８がライナ挿入具６の内側に嵌入される（ライナ巻取り具５がライナ挿入具６の内側に嵌入されるステップ）。次に、ライナ巻取り具５の巻取部８が嵌入されたライナ挿入具６が案内チューブ４の内部に挿入される（ライナ巻取り具５が嵌入されたライナ挿入具６が案内チューブ４の内部に挿入されるステップ）。そして、図５に示されるように、シート状のライナ３の一辺が、案内チューブ４のライナ差入口１３に差し入れられてライナ巻取り具５の巻取部８のスリット１７に差し込まれる。この状態でライナ巻取り具５のハンドル１８が操作（回転）されることにより、図６に示されるように、ライナ３が、当該ライナ巻取り具５の巻取部８に巻き取られて、数重巻きに巻かれた状態で案内チューブ４に収容される（ライナ巻取り具５によってライナ３が巻取部８に巻き取られるステップ）。
【００１８】
次に、案内チューブ４が位置決め用治具にセットされて、当該位置決め用治具に固定されたプロペラシャフトチューブ２に対してライナ挿入装置１（案内チューブ４）が同一軸線上に位置決めされる（案内チューブ４がプロペラシャフトチューブ２の入口内径に整合されて設置されるステップ）。ライナ挿入装置１がプロペラシャフトチューブ２に対して位置決めされた後、ライナ挿入具６が案内チューブ４及びライナ巻取り具５に対して図１における紙面視左側へ移動される。これにより、図２に示されるように、ライナ巻取り具５によって巻かれて案内チューブ４に収容されたライナ３のライナ後端部が、ライナ挿入具６の挿入部９の先端面９ａ（図１における左側端面）によって押圧されて、ライナ３がプロペラシャフトチューブ２の内部に挿入される（挿入部９が案内チューブ４に沿って押し出されて、巻取部８に巻き取られたライナ３がプロペラシャフトチューブ２の内部に挿入されるステップ）。
【００１９】
そして、ライナ後端部がプロペラシャフトチューブ２の縮径部１９を通過するに際して、当該ライナ後端部が材料（紙）の弾性力によって拡径されるが、本ライナ挿入装置１では、各爪部１２の先端部がプロペラシャフトチューブ２の内径に応じて当該プロペラシャフトチューブ２の半径方向へ押し拡げられる。これにより、拡径されたライナ後端部の各層が各爪部１２によってプロペラシャフトチューブ２における当該ライナ後端部の規定位置まで押し込まれて、プロペラシャフトチューブ２の胴部７の内周面７ａに適正に装着される。
【００２０】
この実施の形態では以下の効果を奏する。
本ライナ挿入装置１では、複数個の爪部１２が挿入部９の先端に当該挿入部９の円周方向に沿って等配されて、各爪部１２の先端部が挿入部９の半径方向（案内チューブ４又はプロペラシャフトチューブ２の内周面）へ向けて付勢されるため、プロペラシャフトチューブ２におけるライナ３の挿入経路が途中で拡径されると、各爪部１２の先端部がプロペラシャフトチューブ２の内径に応じて当該プロペラシャフトチューブ２の半径方向へ押し拡げられる。
したがって、本ライナ挿入装置１では、拡径されたライナ後端部の各層が各爪部１２によってプロペラシャフトチューブ２における当該ライナ後端部の規定位置まで押し込まれて、ライナ３がプロペラシャフトチューブ２の内部に適正に装着されるので、ライナ３が捩れた状態でプロペラシャフトチューブ２の胴部７に装着されてしまう事態が解消される。これにより、本ライナ挿入装置１では、ライナ３がプロペラシャフトチューブ２に適正に装着されて、プロペラシャフトの膜振動や共鳴振動が効果的に抑制される。
【図面の簡単な説明】
【００２１】
【図１】本実施の形態の説明図であって、ライナ挿入装置がプロペラシャフトチューブに接続された状態の軸断面を示す図である。
【図２】本実施の形態の要部拡大図であって、特に、ライナ後端部が、案内チューブによって案内されつつ、挿入部の先端面によってプロペラシャフトチューブへ向けて押し出される状態を示す図である。
【図３】本実施の形態の要部拡大図であって、特に、爪部の先端部がプロペラシャフトチューブの内周面に沿って押し拡げられて、該爪部の先端部によってライナ後端部が押されることにより、ライナがプロペラシャフトチューブに適正に装着された状態を示す図である。
【図４】図１におけるＡ−Ａ断面図であって、案内チューブに形成されたライナ挿入口とライナ巻取り具の巻取部に形成されたスリットとを示す図である。
【図５】図４において、ライナ挿入口から差し入れられたライナの一辺が、スリットに差し込まれた状態を示す図である。
【図６】図５における状態から、ライナ巻取り具が回転されてライナが巻取部に巻き取られる状態を示す図である。
【図７】従来のライナ挿入装置の要部拡大図であって、特に、ライナ挿入具の挿入部が前進端に到達されて、ライナが捩れて装着された状態を示す図である。
【図８】従来のライナ挿入装置の説明図であって、該ライナ挿入装置がプロペラシャフトチューブに接続された状態の軸断面を示す図である。
【符号の説明】
【００２２】
１  ライナ挿入装置、２  プロペラシャフトチューブ、３  ライナ、４  案内チューブ、５  ライナ巻取り具、６  ライナ挿入具、８  巻取部、９  挿入部、１２  爪部、２１  軸（ヒンジ部）、２３  圧縮コイルばね（押圧部）
【図１】
2005337443.tif 000003
【図２】
2005337443.tif 000004
【図３】
2005337443.tif 000005
【図４】
2005337443.tif 000006
【図５】
2005337443.tif 000007
【図６】
2005337443.tif 000008
【図７】
2005337443.tif 000009
【図８】
2005337443.tif 000010